(57)【特許請求の範囲】
【請求項１】
浴槽の排水口と連通される浴槽側排水部と、
洗い場床パンの排水口と連通され封水筒を有する洗い場側排水部と、
前記浴槽側排水部から排出された水を前記洗い場側排水部を通過させ建築排水管へ流出させる排水管と、
を備え、
前記排水管は、前記浴槽側排水部よりも下流側であって前記洗い場側排水部よりも上流側において前記排水管内に空気を吸気する吸気部を有することを特徴とする浴室用排水トラップ。
【請求項２】
前記排水管は、前記洗い場側排水部よりも上流側において前記排水管内を流れる水流により前記排水管内を負圧にし前記吸気部から空気を吸気させる負圧生成部を有することを特徴とする請求項１記載の浴室用排水トラップ。
【請求項３】
前記負圧生成部は、前記排水管内を流れる水の流速を増大させる増速部を有することを特徴とする請求項２記載の浴室用排水トラップ。
【請求項４】
前記増速部は、上流側端部において水の流れの方向にみたときの前記排水管の管路形状が円筒形状から偏平形状へ遷移する部位を有することを特徴とする請求項３記載の浴室用排水トラップ。
【請求項５】
一端が前記吸気部に接続され、他端が浴室ユニット内の所定の部位に設けられて開口した吸気管をさらに備えたことを特徴とする請求項１〜４のいずれか１つに記載の浴室用排水トラップ。
【請求項６】
前記所定の部位は、前記浴槽と前記洗い場床パンとの間に設けられ前記浴槽と前記洗い場床パンとの間に形成される開口を塞ぐエプロンよりも裏側の上部であることを特徴とする請求項５記載の浴室用排水トラップ。
【発明の詳細な説明】
【技術分野】
【０００１】
本発明の態様は、一般的に、浴室用排水トラップに関する。
【背景技術】
【０００２】
一般的な浴室用排水トラップの形態としては、以下のようなものが挙げられる。例えば、一般的な浴室用排水トラップは、浴槽排水口の下に設けられた床下エルボと、洗い場の床下に設けられたトラップ本体と、浴槽から排水された水をトラップ本体の内部に流入させるために床下エルボとトラップ本体とを接続する連結管と、を備える。トラップ本体には、浴槽および洗い場から浴室用排水トラップの内部に流入した水を外部排水路に排水する排水繋ぎが連結されている。また、トラップ本体には、トラップを形成するために封水筒が設けられている。
【０００３】
浴槽から水を排出するとき、多量の水が外部排水路に排出されると、外部排水路においてサイホン現象が発生する場合がある。この場合には、サイホン現象により発生した負圧により、トラップ本体内が負圧となる。そうすると、空気が洗い場から封水筒を通してトラップ本体内に吸引される現象が起こる。これにより、浴室内で例えば「ゴボゴボ」などという不快な異音が発生し、使用者に不快感を与える場合がある。
【０００４】
これに対して、本体ケース内を天面から垂設された遮蔽部材により流入室と流出室に区画し、流入室の天面に洗い場からの排水流入用の流入口を設け、前記遮蔽部材と本体底面との間の封水に水没する部位に流入室と流出室との連通部を設け、流出室に流出口を設けた排水トラップであって、前記流入室の封水に水没しない位置に吸気口を設け、前記流出室の封水に水没する位置に給気口を設け、該吸気口と給気口とを連通させた排水トラップがある（特許文献１）。
【０００５】
特許文献１に記載された排水トラップによれば、排水トラップの下流側の配管内で負圧が生じ、排水トラップ内の封水が下流側へ誘導される場合でも、吸気口より吸い込んだ空気を給気口から排水トラップ内へ取り込んで負圧を抑制し、封水の下流への移動を抑制して封水切れを抑制することができる。そのため、封水切れに伴う遮蔽部材の下端から流出室へ入る空気量を減少し、そのことにより生じるボコボコという音を抑制することができる。
【０００６】
しかしながら、特許文献１に記載された排水トラップでは、トラップ本体に吸気構造が設けられている。そのため、使用者が吸気構造を視認することができる。そのため、清掃性が悪いという問題および意匠性が好ましくないという問題がある。
【０００７】
また、合流部に接続される空気吸入管を備え、空気吸入管の途中に、封水を溜めるトラップ部と、トラップ部と合流部との間に介在されて流出口が流入口よりも上方に配置された水溜め部とを設け、空気吸入管の吸気口を、浴槽パン排水部又は洗い場パンのいずれかに開口させると共に、吸気口を洗い場パン排水トラップの封水が切れる下限水位よりも高い位置で且つ浴槽パン排水部又は洗い場パンのいずれかの封水の上限水位よりも低い位置に配置したトラップ装置がある（特許文献２）。
【０００８】
特許文献２に記載されたトラップ装置によれば、合流部内部に満たされた水中に吸引された空気が混入することで、合流部の負圧が低下して洗い場パン排水トラップの封水切れを防止できる。また、洗い場パン排水トラップの封水が切れる前に、合流部の負圧を低下させることができ、洗い場パン排水トラップの封水切れによる不快な「ゴボゴボ音」の発生を防止できる。
【０００９】
しかしながら、特許文献２に記載されたトラップ装置では、空気吸気管の途中に封水を溜めるトラップ部が設けられるため、空気吸気管が硬管である必要がある。そのため、破損による漏水の危険性や、コストが高くなるという問題がある。
【先行技術文献】
【特許文献】
【００１０】
【特許文献１】特開２００７−２１１０５８０号公報
【特許文献２】特開２００８−２４０３７０号公報
【発明の概要】
【発明が解決しようとする課題】
【００１１】
本発明は、かかる課題の認識に基づいてなされたものであり、清掃性あるいは意匠性などを確保しつつ排水時の異音の発生を抑制し、排水音を静音化することができる浴室用排水トラップを提供することを目的とする。
【課題を解決するための手段】
【００１２】
第１の発明は、浴槽の排水口と連通される浴槽側排水部と、洗い場床パンの排水口と連通され封水筒を有する洗い場側排水部と、前記浴槽側排水部から排出された水を前記洗い場側排水部を通過させ建築排水管へ流出させる排水管と、を備え、前記排水管は、前記浴槽側排水部よりも下流側であって前記洗い場側排水部よりも上流側において前記排水管内に空気を吸気する吸気部を有することを特徴とする浴室用排水トラップである。
【００１３】
この浴室用排水トラップは、排水管は、浴槽側排水部よりも下流側であって洗い場側排水部よりも上流側において排水管内に空気を吸気する吸気部を有する。多量の水が建築排水管に流出しサイホン現象による負圧が発生すると、吸気部から排水管内へ空気を吸気させることができる。吸気部が洗い場側排水部よりも上流側に設けられているため、吸気部からの空気の吸気は、洗い場側排水部よりも上流側において行われる。そのため、洗い場側排水部を通過する水は、減圧された状態となる。そのため、洗い場側排水部よりも上流側に吸気部が設けられていない場合と比較すると、洗い場側排水部から排水管内には空気が吸引されにくい。つまり、洗い場側排水部を通過する水には空気が混入されにくい。これにより、浴室ユニット内で例えば「ゴボゴボ」などという不快な異音が発生することを抑制し、排水音を静音化することができる。また、吸気部が清掃時に人目に触れることはない。これにより、清掃性の向上を図ることができる。また、美観が損なわれることを抑え、意匠性を確保することができる。
【００１４】
また、第２の発明は、第１の発明において、前記排水管は、前記洗い場側排水部よりも上流側において前記排水管内を流れる水流により前記排水管内を負圧にし前記吸気部から空気を吸気させる負圧生成部を有することを特徴とする浴室用排水トラップである。
【００１５】
この浴室用排水トラップによれば、排水管内を流れる水流により発生した負圧を利用し、洗い場側排水部よりも上流側において排水管内に空気を自然に吸気する。そのため、例えばポンプなどの設備を必要としない。そのため、浴室用排水トラップの構造の簡略化およびコストの低減を図り、排水音を静音化することができる。
【００１６】
また、第３の発明は、第２の発明において、前記負圧生成部は、前記排水管内を流れる水の流速を増大させる増速部を有することを特徴とする浴室用排水トラップである。
【００１７】
この浴室用排水トラップによれば、浴槽から排出され排水管内を流れる水の流速を増大させることで排水管内に負圧を発生させ、排水管内に空気を自然に吸気する。そのため、例えばポンプなどの設備を必要としない。そのため、浴室用排水トラップの構造の簡略化およびコストの低減を図り、排水音を静音化することができる。
【００１８】
また、第４の発明は、第３の発明において、前記増速部は、上流側端部において水の流れの方向にみたときの前記排水管の管路形状が円筒形状から偏平形状へ遷移する部位を有することを特徴とする浴室用排水トラップである。
【００１９】
この浴室用排水トラップによれば、排水管の形状を変化させることで、すなわち水の流れの方向にみたときの排水管の管路形状が円筒形状から偏平形状へ遷移する部位を設けることで、浴槽から排出され排水管内を流れる水の流速を増大させることができる。そのため、より簡易的な構造で浴槽から排出された水の流速を増大させ、コストの低減を図りつつ排水音を静音化することができる。
【００２０】
また、第５の発明は、第１〜第４のいずれか１つの発明において、一端が前記吸気部に接続され、他端が浴室ユニット内の所定の部位に設けられて開口した吸気管をさらに備えたことを特徴とする浴室用排水トラップである。
【００２１】
この浴室用排水トラップによれば、吸気管の他端が浴室ユニット内の所定の部位に設けられているため、浴室ユニットの外側（例えば建築躯体の側）へ水が漏れることを防止することができる。
【００２２】
また、第６の発明は、第５の発明において、前記所定の部位は、前記浴槽と前記洗い場床パンとの間に設けられ前記浴槽と前記洗い場床パンとの間に形成される開口を塞ぐエプロンよりも裏側の上部であることを特徴とする浴室用排水トラップである。
【００２３】
この浴室用排水トラップによれば、吸気管の他端を浴槽の水位よりも高い位置に設置することができる。これにより、例えば浴室用排水トラップが備える部材に不具合が発生し、水が吸気部を通過して吸気管の内部を他端へ向かって流れても、開口した吸気管の他端から水が溢れることを抑制することができる。
【発明の効果】
【００２４】
本発明の態様によれば、清掃性あるいは意匠性などを確保しつつ排水時の異音の発生を抑制し、排水音を静音化することができる浴室用排水トラップが提供される。
【図面の簡単な説明】
【００２５】
【図１】本発明の実施の形態にかかる浴室用排水トラップを備えた浴室ユニットを表す斜視模式図である。
【図２】本発明の実施の形態にかかる浴室用排水トラップを備えた浴室ユニットを表す斜視模式図である。
【図３】本実施形態にかかる浴室用排水トラップを表す斜視模式図である。
【図４】本実施形態にかかる浴室用排水トラップを表す斜視模式図である。
【図５】本実施形態にかかる浴室用排水トラップを表す平面模式図である。
【図６】図５（ａ）に表した切断面Ａ−Ａにおける断面模式図である。
【図７】図５（ａ）に表した切断面Ａ−Ａにおける断面模式図である。
【図８】図６に表した切断面Ｂ−Ｂにおける断面模式図である。
【図９】図６に表した切断面Ｃ−Ｃにおける断面模式図である。
【図１０】図６に表した切断面Ｄ−Ｄにおける断面模式図である。
【図１１】本実施形態の吸気管の他端の設置位置を例示する斜視模式図である。
【図１２】本実施形態の吸気管の他端の一例を例示する断面模式図である。
【図１３】本実施形態の吸気管の他端の他の設置位置を例示する斜視模式図である。
【発明を実施するための形態】
【００２６】
以下、本発明の実施の形態について図面を参照しつつ説明する。なお、各図面中、同様の構成要素には同一の符号を付して詳細な説明は適宜省略する。  
図１および図２は、本発明の実施の形態にかかる浴室用排水トラップを備えた浴室ユニットを表す斜視模式図である。  
なお、図１は、本実施形態の浴室ユニットを斜め上方から眺めた斜視模式図である。図２は、本実施形態の浴室ユニットを斜め下方から眺めた斜視模式図である。
【００２７】
図１に表した浴室ユニット１０は、架台１００と、洗い場床パン２００と、浴槽３００と、浴室用排水トラップ４００と、を備える。  
架台１００は、洗い場用架台１１０と、浴槽用架台１２０と、を有する。洗い場用架台１１０は、洗い場床パン２００を支持する。言い換えれば、洗い場床パン２００は、洗い場用架台１１０に載置されている。浴槽用架台１２０は、浴槽３００を支持する。言い換えれば、浴槽３００は、浴槽用架台１２０に載置されている。
【００２８】
洗い場用架台１１０は、下部に設けられた支持脚１１１を有する。一方、浴槽用架台１２０は、下部に設けられた支持脚１２１を有する。図２に表したように、浴槽用架台１２０は、連結材１１３を介して例えばねじなどの締結部材（図示せず）により連結されている。架台１００は、洗い場用架台１１０と浴槽用架台１２０とが連結された状態で、図示しない浴室等の設置面（例えば、建物の床）の上に載置されている。
【００２９】
洗い場床パン２００は、洗い場排水口２１０を有し、使用者が例えば身体を洗浄可能な洗い場２０１を形成する。洗い場床パン２００の上（表側）の水は、洗い場排水口２１０を通過し、浴室用排水トラップ４００へ導かれる。そして、浴室用排水トラップ４００へ導かれた水は、洗い場床パン２００の下（裏側）に設けられた建築排水管６１０を通過して排出される。つまり、洗い場排水口２１０は、洗い場２０１の水を排出することができる。  
なお、本願明細書において「水」という場合には、冷水のみならず、加熱されたお湯も含むものとする。
【００３０】
浴槽３００は、浴槽排水口３１０を有する。浴槽３００内の水は、浴槽排水口３１０を通過し、浴室用排水トラップ４００へ導かれる。そして、浴室用排水トラップ４００へ導かれた水は、洗い場床パン２００の下（裏側）に設けられた建築排水管６１０を通過して排出される。つまり、浴槽排水口３１０は、浴槽３００内の水を排出することができる。
【００３１】
図２に表したように、浴室用排水トラップ４００は、架台１００に取り付けられ固定されている。浴室用排水トラップ４００は、洗い場排水口２１０と連通し、洗い場２０１から排出された水を受けることができる。また、浴室用排水トラップ４００は、浴槽排水口３１０と連通し、浴槽３００内から排出された水を受けることができる。そして、浴室用排水トラップ４００は、洗い場２０１および浴槽３００から導かれた水を建築排水管６１０へ排出することができる。浴室用排水トラップ４００については、後に詳述する。
【００３２】
図１に表したように、洗い場床パン２００と浴槽３００との間には、バスエプロン５３０が設置されている。バスエプロン５３０は、浴槽３００の側面を覆っている。つまり、バスエプロン５３０は、洗い場床パン２００と浴槽３００との間に形成される開口を塞ぐように取り付けられている。
【００３３】
浴室ユニット１０の外周部には、接続部材５１０と、壁パネル５２０と、が設置されている。接続部材５１０は、互いに隣り合う壁パネル５２０同士を連接する。壁パネル５２０は、洗い場床パン２００の縁に設けられた図示しない壁パネル載置面に設置されている。あるいは、壁パネル５２０は、浴槽３００の縁に設けられた図示しない壁パネル載置面に設置されている。そして、複数の壁パネル５２０は、接続部材５１０により連接され立設されている。複数の壁パネル５２０のいずれかには、図示しないドア取付枠を介して図示しないドアが設けられている。なお、接続部材５１０および壁パネル５２０の設置数は、図１に表した接続部材５１０および壁パネル５２０の設置数に限定されるわけではない。
【００３４】
図３および図４は、本実施形態にかかる浴室用排水トラップを表す斜視模式図である。  また、図５は、本実施形態にかかる浴室用排水トラップを表す平面模式図である。  
なお、図３は、洗い場床パンの側の斜め上方からみた浴室用排水トラップの斜視模式図である。図４は、浴槽の側の斜め上方からみた浴室用排水トラップの斜視模式図である。図５（ａ）は、上方からみた浴室用排水トラップの平面模式図である。図５（ｂ）は、図５（ａ）に表した矢視Ａ１の方向にみた浴室用排水トラップの平面模式図である。
【００３５】
本実施形態にかかる浴室用排水トラップ４００は、浴槽側排水部４１０と、洗い場側排水部４２０と、排水管４３０と、を有する。浴槽側排水部４１０は、浴槽３００の浴槽排水口３１０と連通し、浴槽３００内から排出された水を受けることができる。洗い場側排水部４２０は、洗い場排水口２１０と連通し、洗い場２０１から排出された水を受けることができる。洗い場側排水部４２０は、封水筒４２１を有する。これにより、浴室用排水トラップ４００の内部において、封水が形成される。そして、建築排水管６１０から悪臭や害虫類などが室内に侵入することを防止することができる。
【００３６】
浴槽３００内から排出された水は、浴槽側排水部４１０を通過し、排水管４３０内を流れて洗い場側排水部４２０へ導かれる。洗い場側排水部４２０へ導かれた水は、封水筒４２１の下側あるいは封水筒４２１の周囲を通過し、排水管４３０内を流れて建築排水管６１０に流出する。つまり、排水管４３０とは、浴槽側排水部４１０から排出された水を洗い場側排水部４２０を通過させて建築排水管６１０に流出させるまでの管をいうものとする。水の流れについては、後に詳述する。
【００３７】
このとき、多量の水が建築排水管６１０に流出すると、建築排水管６１０においてサイホン現象が発生する場合がある。この場合には、サイホン現象により発生した負圧により、空気が洗い場２０１から洗い場側排水部４２０および封水筒４２１を通して浴室用排水トラップ４００内に吸引される現象が起こる。これにより、浴室ユニット１０内で例えば「ゴボゴボ」などという不快な異音が発生し、使用者に不快感を与える場合がある。
【００３８】
これに対して、本実施形態の排水管４３０は、浴槽側排水部４１０よりも下流側であって洗い場側排水部４２０よりも上流側において、吸気部４３１を有する。図５（ｂ）に表したように、吸気部４３１には、吸気管６２０が接続されている。吸気管６２０の一端は、排水管４３０の吸気部４３１に接続され、吸気管６２０の他端６２１は、開口し大気に開放されている。
【００３９】
本実施形態にかかる浴室用排水トラップ４００では、多量の水が建築排水管６１０に流出しサイホン現象による負圧が発生すると、吸気部４３１から排水管４３０内へ空気を吸気させることができる。吸気部４３１が洗い場側排水部４２０よりも上流側に設けられているため、吸気部４３１からの空気の吸気は、洗い場側排水部４２０よりも上流側において行われる。そのため、洗い場側排水部４２０を通過する水は、減圧された状態となる。そのため、洗い場側排水部４２０よりも上流側に吸気部４３１が設けられていない場合と比較すると、洗い場側排水部４２０から排水管４３０内には空気が吸引されにくい。つまり、洗い場側排水部４２０を通過する水には空気が混入されにくい。これにより、浴室ユニット１０内で例えば「ゴボゴボ」などという不快な異音が発生することを抑制し、排水音を静音化することができる。
【００４０】
また、吸気部４３１は、浴槽側排水部４１０と、洗い場側排水部４２０と、の間に設けられている。つまり、吸気部４３１は、洗い場床パン２００の下に設けられている。そのため、吸気部４３１が清掃時に人目に触れることはない。これにより、清掃性の向上を図ることができる。また、美観が損なわれることを抑え、意匠性を確保することができる。
【００４１】
本実施形態にかかる浴室用排水トラップ４００の作用について、図面を参照しつつさらに説明する。  
図６および図７は、図５（ａ）に表した切断面Ａ−Ａにおける断面模式図である。  
また、図８は、図６に表した切断面Ｂ−Ｂにおける断面模式図である。  
また、図９は、図６に表した切断面Ｃ−Ｃにおける断面模式図である。  
また、図１０は、図６に表した切断面Ｄ−Ｄにおける断面模式図である。  
なお、図６は、図５（ａ）に表した矢視Ａ１の方向にみた浴室用排水トラップの断面模式図である。図７は、洗い場床パンの側の斜め上方からみた浴室用排水トラップの断面模式図である。
【００４２】
図６に表した矢印Ｗ１および図７に表した矢印Ｗ１１のように、浴槽３００内から排出された水は、浴槽側排水部４１０を通過し、排水管４３０内を流れる。そして、図６に表した矢印Ｗ２および図７に表した矢印Ｗ１２のように、水が排水管４３０の吸気部４３１を通過する際には、水の流速は、増大する。すなわち、水の流速は、速くなる。
【００４３】
具体的には、図６および図７に表したように、本実施形態の排水管４３０は、負圧生成部４３３を有する。負圧生成部４３３は、増速部４３５を有する。図８に表したように、増速部４３５の上流側端部においては、水の流れの方向にみたときの排水管４３０の管路形状が円筒形状を呈する円筒部４３５ａから偏平形状を呈する偏平部４３５ｂへ遷移する部位が設けられている。水の流れの方向（例えば図６に表した矢印Ｗ２の方向）にみたときに、円筒部４３５ａの流路の断面積は、偏平部４３５ｂの流路の断面積よりも広い。言い換えれば、偏平部４３５ｂの流路の断面積は、円筒部４３５ａの流路の断面積よりも狭い。
【００４４】
そのため、偏平部４３５ｂの内部を流れる水の流速は、円筒部４３５ａの内部を流れる水の流速よりも速い。つまり、増速部４３５においては、排水管４３０を流れる水の流速が増大する。そうすると、排水管４３０内においては、排水管４３０内を流れる水流により負圧が発生する。これにより、図９に表した矢印Ａ２のように、吸気部４３１から空気が吸気される。つまり、負圧生成部４３３は、排水管４３０内を流れる水流により排水管４３０内を負圧にして吸気部４３１から空気を吸気させる。
【００４５】
吸気部４３１からの空気の吸気は、洗い場側排水部４２０よりも上流側において行われる。そのため、多量の水が建築排水管６１０に流出しサイホン現象による負圧が発生しても、図６に表した矢印Ｗ３〜矢印Ｗ５および図７に表した矢印Ｗ１３〜矢印Ｗ１５のように、逆止弁４２３を通過して洗い場側排水部４２０を通過する水は、減圧された状態となっている。そのため、洗い場側排水部４２０よりも上流側に吸気部４３１が設けられていない場合と比較すると、洗い場側排水部４２０から排水管４３０内には空気が吸引されにくい。つまり、洗い場側排水部４２０を通過する水には空気が混入されにくい。これにより、浴室ユニット１０内で例えば「ゴボゴボ」などという不快な異音が発生することを抑制し、排水音を静音化することができる。そして、図６に表した矢印Ｗ６および図７に表した矢印Ｗ１６のように、洗い場側排水部４２０を通過した水は、減圧された状態で建築排水管６１０に流出する。
【００４６】
なお、図６に表した矢印Ａ３のように、逆止弁４２３は、例えば上端部を中心として回動し、水が排水管４３０内を浴槽側排水部４１０から洗い場側排水部４２０へ向かって流れることを許可し、一方で、水が排水管４３０内を洗い場側排水部４２０から浴槽側排水部４１０へ向かって流れることを禁止（防止）する。
【００４７】
本実施形態によれば、排水管４３０内を流れる水流により発生した負圧を利用し、洗い場側排水部４２０よりも上流側において排水管４３０内に空気を自然に吸気するため、例えばポンプなどの設備を必要としない。そのため、浴室用排水トラップ４００の構造の簡略化およびコストの低減を図り、排水音を静音化することができる。また、浴槽３００から排出された水の流速を増大させることで排水管４３０内に負圧を発生させ、排水管４３０内に空気を自然に吸気するため、前述したように、例えばポンプなどの設備を必要としない。そのため、前述した効果と同様の効果が得られる。さらに、排水管４３０の形状を適宜変化させることで、すなわち水の流れの方向にみたときの排水管４３０の管路形状が円筒形状を呈する円筒部４３５ａから偏平形状を呈する偏平部４３５ｂへ遷移する部位を設けることで、浴槽３００から排出された水の流速を増大させることができる。そのため、より簡易的な構造で浴槽３００から排出された水の流速を増大させ、コストの低減を図りつつ排水音を静音化することができる。
【００４８】
前述したように、偏平部４３５ｂの流路の断面積は、円筒部４３５ａの流路の断面積よりも狭い。そのため、偏平部４３５ｂの内部を流れる水の流速は、円筒部４３５ａの内部を流れる水の流速よりも速い一方で、水が偏平部４３５ｂを流れる際の圧力損失は、水が円筒部４３５ａを流れる際の圧力損失よりも高い。そのため、水は、偏平部４３５ｂの流路よりも円筒部４３５ａの流路を流れやすい。言い換えれば、水は、円筒部４３５ａの流路よりも偏平部４３５ｂの流路を流れにくい。そのため、浴槽３００から排出される水の排水量が低下するおそれがある。
【００４９】
これに対して、図８〜図１０に表したように、本実施形態の負圧生成部４３３は、増速部４３５の両側において、すなわち円筒部４３５ａおよび偏平部４３５ｂの両側において緩衝部４３７を有する。緩衝部４３７は、円筒部４３５ａおよび偏平部４３５ｂの両側において、負圧生成部４３３の底部から上方へ延在した形状を有する。そのため、図８〜図１０に表したように、緩衝部４３７の流路は、円筒部４３５ａおよび偏平部４３５ｂの両側において、偏平部４３５ｂの下端部から円筒部４３５ａの上端部にかけて上下方向に延在した形状を有する。
【００５０】
緩衝部４３７の流路の断面積は、偏平部４３５ｂの流路の断面積よりも広い。そのため、水が緩衝部４３７を流れる際の圧力損失は、水が偏平部４３５ｂを流れる際の圧力損失よりも低い。そのため、水は、偏平部４３５ｂの流路よりも緩衝部４３７の流路を流れやすい。また、浴槽３００から排出された水は、まず、偏平部４３５ｂの流路の断面積よりも広い流路の断面積を有する円筒部４３５ａの内部を通過する。これらによれば、浴槽３００から排出された水の流速を増速部４３５により増大させつつ、浴槽３００から排出される水の排水量が低下することを抑えることができる。言い換えれば、浴槽３００の排水の性能を確保しつつ、浴槽３００から排出された水の流速を増速部４３５により増大させることができる。
【００５１】
図６に表した二点鎖線のように、図６に表した浴室用排水トラップ４００の内部には、封水面ＳＷが形成されている。例えば、封水面ＳＷは、吸気部４３１の上端部よりもやや上方に形成されている。但し、封水面ＳＷの位置は、これだけに限定されるわけではない。浴室用排水トラップ４００の内部に封水面ＳＷが形成されることで、建築排水管６１０から悪臭や害虫類などが室内に侵入することを防止することができる。
【００５２】
次に、吸気部４３１に接続された吸気管６２０について、図面を参照しつつ説明する。  図１１は、本実施形態の吸気管の他端の設置位置を例示する斜視模式図である。  
また、図１２は、本実施形態の吸気管の他端の一例を例示する断面模式図である。  
なお、図１１は、図１に表した切断面Ｅ−Ｅにおける断面模式図である。
【００５３】
図５（ｂ）に関して前述したように、吸気部４３１には、開口した他端６２１を有する吸気管６２０が接続されている。吸気管６２０の他端６２１は、浴室ユニット１０内の所定の部位に接続されている。所定の部位とは、例えば図１１に表した如くである。
【００５４】
例えば、吸気管６２０の他端６２１は、バスエプロン５３０よりも裏側（浴槽３００の側）の上部１０ａに固定されている。言い換えれば、吸気管６２０の他端６２１は、浴槽３００のリム部３０１の裏側（下方側）に位置するバスエプロン５３０よりも裏側の部位（例えばバスエプロン５３０に隠された浴槽３００の裏面）１０ａに固定されている。
【００５５】
図６に関して前述したように、正常時の封水面ＳＷは、吸気部４３１の上端部よりもやや上方に形成されている。但し、例えば逆止弁４２３などに不具合が発生し、浴槽３００から排出された水が逆止弁４２３を通過できない場合には、その水は、吸気部４３１を通過し吸気管６２０の内部を他端６２１へ向かって流れる。そして、吸気管６２０の内部の水位が浴槽３００内の水位と同じになると、浴槽３００からの排水が止まる。そのため、吸気管６２０の他端６２１が浴槽３００内の水位よりも低い位置に固定され、例えば逆止弁４２３などに不具合が発生した場合には、浴槽３００から排出された水が吸気管６２０の他端６２１から溢れる場合がある。
【００５６】
これに対して、吸気管６２０の他端６２１がバスエプロン５３０の裏側の上部１０ａに固定されている場合には、吸気管６２０の他端６２１の位置は、浴槽３００の水位よりも高い可能性が比較的高い。この場合には、例えば逆止弁４２３などに不具合が発生した場合でも、浴槽３００から排出された水が吸気管６２０の他端６２１から溢れることを抑制することができる。
【００５７】
図１２に表したように、吸気管６２０の他端６２１に逆止弁６２５が設けられた場合には、浴槽３００から排出された水が吸気管６２０の他端６２１から溢れることをより確実に防止することができる。例えば、逆止弁６２５は、軸支部６２５ａを中心として矢印Ａ４のように回動することができる。吸気管６２０の他端６２１の開口部の内周部には、パッキン６２７が設けられている。そのため、逆止弁６２５は、吸気管６２０の内側へ回動することができる一方で、吸気管６２０の外側へ回動することはできない。逆止弁６２５は、吸気管６２０の内側へ回動することで空気が吸気されることを許可し、一方で、吸気管６２０の内部を流れてきた水が吸気管６２０の他端６２１から溢れることを禁止（防止）する。
【００５８】
また、バスエプロン５３０を適宜加工することにより、吸気管６２０の他端６２１をバスエプロン５３０の裏側から洗い場床パン２００の方へ臨ませることができる。これによれば、浴槽３００から排出された水が吸気管６２０の他端６２１から溢れても、溢れた水は、洗い場床パン２００の上に着水する。そして、洗い場床パン２００の上に着水した水は、洗い場側排水部４２０を通過して排水管４３０内へ導かれる。そのため、浴室ユニット１０の外側（例えば建築躯体の側）へ水が漏れることを防止することができる。
【００５９】
あるいは、例えば、吸気管６２０は、遠隔操作式排水栓装置のレリースワイヤを通したガイドホースと兼用されている。この排水栓装置によれば、使用者は、図示しない操作部の手動ボタンを操作して排水栓の栓蓋を遠隔操作し、浴槽３００の浴槽排水口３１０を開閉させることができる。ガイドホースは、図示しない操作部と吸気部４３１とを連通しており、操作部にかかる操作力を栓蓋に伝達するレリースワイヤを内蔵している。
【００６０】
図１１に表したように、吸気管６２０の他端６２１は、バスエプロン５３０の裏側の上部に位置する遠隔操作式排水栓装置の操作部付近１０ｂに固定されていることがより好ましい。前述したように、例えば逆止弁４２３などに不具合が発生した場合でも、浴槽３００から排出された水が吸気管６２０の他端６２１から溢れることを抑制することができるためである。このときの吸気管６２０の他端６２１の設置位置は、吸気管６２０の他端６２１がバスエプロン５３０の裏側の上部１０ａに固定されているという範囲に含まれる。
【００６１】
あるいは、吸気管６２０の他端６２１は、ピラー（バスエプロン５３０の隠れ面）部１０ｃや、洗い場排水口２１０のピット部１０ｄや、排水管４３０の偏心エルボ部１０ｅや、洗い場床パン２００の土手部１０ｆや、バスエプロン５３０の裏側の部位１０ｇや、浴室カウンタに隠れた部位などに固定されていてもよい。これらの場合でも、吸気管６２０の他端６２１を浴室ユニット１０内に臨ませることで、浴槽３００から排出された水が吸気管６２０の他端６２１から溢れても、溢れた水が浴室ユニット１０の外側へ漏れることを防止することができる。
【００６２】
図１３は、本実施形態の吸気管の他端の他の設置位置を例示する斜視模式図である。  
なお、図１３は、図１に表した切断面Ｅ−Ｅにおける断面模式図である。
【００６３】
図１３に表した浴室ユニット１０では、浴槽３００の周囲に保温パン３２０が設けられている。保温パン３２０は、浴槽３００内の湯の温度が低下することを抑えることができる。図１３に表したように、保温パン３２０は、例えば施工作業を行う作業者が配管類を配設あるいは接続する際に利用する設備配管開口部３２１を有する。図１３に表した浴室ユニット１０のその他の構造は、図１２に表した浴室ユニットの構造と同様である。
【００６４】
図１３に表した浴室ユニット１０において、例えば、吸気管６２０の他端６２１は、保温パン３２０の内側の設備配管開口部３２１の近傍の部位１０ｈに固定されている。この場合には、図１３に表したように、吸気管６２０は、例えば保温パン３２０と洗い場床パン２００との間の空間を通され、保温パン３２０の外側から設備配管開口部３２１を介して保温パン３２０の内側に挿入される。そして、吸気管６２０の他端６２１は、保温パン３２０の内側の設備配管開口部３２１の近傍に固定される。
【００６５】
これによれば、浴槽３００から排出された水が吸気管６２０の他端６２１から溢れても、溢れた水は、保温パン３２０の内側に着水する。そして、保温パン３２０の内側に着水した水は、図示しない孔を通過し排水管４３０内へ導かれる。そのため、浴室ユニット１０の外側へ水が漏れることを防止することができる。
【００６６】
あるいは、例えば、吸気管６２０の他端６２１は、保温パン３２０の側面部１０ｉに固定されている。この場合には、保温パン３２０を適宜加工することにより、吸気管６２０の他端６２１を保温パン３２０の外側から保温パン３２０の内側へ臨ませることができる。これによれば、浴槽３００から排出された水が吸気管６２０の他端６２１から溢れても、溢れた水は、保温パン３２０の内側に着水する。そのため、前述したように、浴室ユニット１０の外側へ水が漏れることを防止することができる。
【００６７】
あるいは、吸気管６２０の他端６２１は、洗い場排水口２１０のピット部１０ｊや、排水管４３０の偏心エルボ部１０ｅなどに固定されていてもよい。これらは、図１１に関して前述した洗い場排水口２１０のピット部１０ｄおよび排水管４３０の偏心エルボ部１０ｅとそれぞれ同様である。
【００６８】
以上説明したように、本実施形態によれば、排水管４３０は、浴槽側排水部４１０よりも下流側であって洗い場側排水部４２０よりも上流側において、吸気部４３１を有する。多量の水が建築排水管６１０に流出しサイホン現象による負圧が発生すると、吸気部４３１から排水管４３０内へ空気を吸気させることができる。吸気部４３１が洗い場側排水部４２０よりも上流側に設けられているため、吸気部４３１からの空気の吸気は、洗い場側排水部４２０よりも上流側において行われる。そのため、洗い場側排水部４２０を通過する水は、減圧された状態となる。そのため、洗い場側排水部４２０よりも上流側に吸気部４３１が設けられていない場合と比較すると、洗い場側排水部４２０から排水管４３０内には空気が吸引されにくい。つまり、洗い場側排水部４２０を通過する水には空気が混入されにくい。これにより、浴室ユニット１０内で例えば「ゴボゴボ」などという不快な異音が発生することを抑制し、排水音を静音化することができる。また、吸気部４３１が清掃時に人目に触れることはない。これにより、清掃性の向上を図ることができる。また、美観が損なわれることを抑え、意匠性を確保することができる。
【００６９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室用排水トラップ４００や架台１００や洗い場床パン２００や浴槽３００などが備える各要素の形状、寸法、材質、配置などや吸気部４３１や吸気管６２０の設置形態などは、例示したものに限定されるわけではなく適宜変更することができる。また、円筒形状から偏平形状へ遷移させる増速部４３５に代えて、偏平形状の流路をさらに横長偏平形状の流路へ遷移させる増速部としても良い。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７０】
１０ 浴室ユニット、  １００ 架台、  １１０ 洗い場用架台、  １１１ 支持脚、  １１３ 連結材、  １２０ 浴槽用架台、  １２１ 支持脚、  ２００ 洗い場床パン、  ２０１ 洗い場、  ２１０ 洗い場排水口、  ３００ 浴槽、  ３０１ リム部、  ３１０ 浴槽排水口、  ３２０ 保温パン、  ３２１ 設備配管開口部、  ４００ 浴室用排水トラップ、  ４１０ 浴槽側排水部、  ４２０ 洗い場側排水部、  ４２１ 封水筒、  ４２３ 逆止弁、  ４３０ 排水管、  ４３１ 吸気部、  ４３３ 負圧生成部、  ４３５ 増速部、  ４３５ａ 円筒部、  ４３５ｂ 偏平部、  ４３７ 緩衝部、  ５１０ 接続部材、  ５２０ 壁パネル、  ５３０ バスエプロン、  ６１０ 建築排水管、  ６２０ 吸気管、  ６２１ 他端、  ６２５ 逆止弁、  ６２５ａ 軸支部、  ６２７ パッキン
【図１】
0005800283.tif 000002
【図２】
0005800283.tif 000003
【図３】
0005800283.tif 000004
【図４】
0005800283.tif 000005
【図５】
0005800283.tif 000006
【図６】
0005800283.tif 000007
【図７】
0005800283.tif 000008
【図８】
0005800283.tif 000009
【図９】
0005800283.tif 000010
【図１０】
0005800283.tif 000011
【図１１】
0005800283.tif 000012
【図１２】
0005800283.tif 000013
【図１３】
0005800283.tif 000014